(57)【特許請求の範囲】
【請求項１】
シリンダ内に噴出管を入れてその噴出管を押し込んでシリンダ室内の圧を高め、前記シリンダと前記噴出管との間に設けるピストン弁を前記シリンダに摺接しスライドして前記噴出管の連通孔を開き、その連通孔を通して該噴出管内を前記シリンダ室内と連通し、そのシリンダ室内の内容物を前記噴出管内を通してノズルから吐出する一方、
前記噴出管の押し込みを解除したとき、付勢力に基づき前記噴出管を押し上げ、前記ピストン弁をスライドして前記噴出管の連通孔を塞ぎ、前記シリンダ室内を負圧化して器容器内の内容物を吸い上げる噴出器において、
前記噴出管内にボール弁を設け、前記噴出管を押し込んで該噴出管内を前記シリンダ室内と連通したとき開き、押し込みを解除して前記噴出管を押し上げたとき閉じるとともに、
前記ピストン弁を前記噴出管に対する押当力より弱い押当力で前記シリンダに押し当て、前記噴出管を押し上げるとき前記ピストン弁も共に上動する一方、
前記ボール弁を閉じて後、その上動したピストン弁を突き当ててスライドし、前記連通孔を塞ぐ突き当て部を形成してなる、
噴出器。
【請求項２】
シリンダ内に噴出管を入れてその噴出管を押し込んでシリンダ室内の圧を高め、前記シリンダと前記噴出管との間に設けるピストン弁を前記シリンダ１２に摺接しスライドして前記噴出管の連通孔を開き、その連通孔を通して該噴出管内を前記シリンダ室内と連通し、そのシリンダ室内の内容物を前記噴出管内を通してノズルから吐出する一方、
前記噴出管の押し込みを解除したとき、付勢力に基づき前記噴出管を押し上げ、前記ピストン弁をスライドして前記噴出管の連通孔を塞ぎ、前記シリンダ室内を負圧化して器容器内の内容物を吸い上げる噴出器において、
前記噴出管内にボール弁を設け、前記噴出管を押し込んで該噴出管内を前記シリンダ室内と連通したとき開き、押し込みを解除して前記噴出管を押し上げたとき閉じるとともに、
前記噴出管を押し込んだとき係合し、該噴出管を押し上げたとき前記ピストン弁も共に上動する掛止部をピストン弁と噴出管間に設ける一方、
前記ボール弁を閉じて後、その上動したピストン弁を突き当てて前記掛止部での係合を解除し、スライドして前記連通孔を塞ぐ突き当て部を形成してなる、
噴出器。
【発明の詳細な説明】
【０００１】
【発明の属する技術分野】
この発明は、液体・乳液等の内容物をノズルから小出しに吐出する、化粧用・薬用・塗装用等の噴出器に関する。
【０００２】
【従来の技術】
従来、この種の噴出器の中には、図８に示すごとく構成したものがある。すなわち、押下釦１を押し下げ、噴出管２を押し込んでシリンダ室３内の圧を高め、ピストン弁４をスライドして噴出管２の連通孔２ａを開き、その連通孔２ａを通して該噴出管２内をシリンダ室３内と連通し、そのシリンダ室３内の内容物を噴出管２内を通してノズル１ａから吐出する一方、噴出管２の押し込みを解除したとき、付勢力に基づき噴出管２を押し上げ、ピストン弁４をスライドして噴出管２の連通孔２ａを塞ぎ、シリンダ室３内を負圧化して器容器５内の内容物を吸い上げていた。
【０００３】
【発明が解決しようとする課題】
しかしながら、従来のそのような噴出器では、ピストン弁４と噴出管２間の摩擦力よりピストン弁４とシリンダ室３内面間の摩擦力を強くしているので、前記噴出管２の押し込みを解除して該噴出管２を付勢力で押し上げるとき、前記ピストン弁４が直ちにスライドして噴出管２の連通孔２ａを塞ぎ、内容物がノズル１ａ付近に残る。その結果、ノズル１ａ付近に残った内容物が経時において徐々に流れ出し、ノズル１ａ先端から垂れ落ちて器本体５やそのまわりを汚す問題があった。
【０００４】
そこで、この発明の目的は、噴出器の使用後、ノズル付近に残った内容物がノズル先端から垂れ落ちることを防止することにある。
【０００５】
【課題を解決するための手段】
そのため、請求項１に記載の発明は、以下の図示実施の形態に示すとおり、
シリンダ１２内に噴出管１８を入れてその噴出管１８を押し込んでシリンダ室３０内の圧を高め、前記シリンダ１２と前記噴出管１８との間に設けるピストン弁１７を前記シリンダ１２に摺接しスライドして前記噴出管１８の連通孔２０ｃを開き、その連通孔２０ｃを通して該噴出管１８内を前記シリンダ室３０内と連通し、そのシリンダ室３０内の内容物を前記噴出管１８内を通してノズル３１ｂから吐出する一方、
前記噴出管１８の押し込みを解除したとき、付勢力に基づき前記噴出管１８を押し上げ、前記ピストン弁１７をスライドして前記噴出管１８の連通孔２０ｃを塞ぎ、前記シリンダ室３０内を負圧化して器容器１０内の内容物を吸い上げる噴出器において、
前記噴出管１８内にボール弁２１を設け、前記噴出管１８を押し込んで該噴出管１８内を前記シリンダ室３０内と連通したとき開き、押し込みを解除して前記噴出管１８を押し上げたとき閉じるとともに、
前記ピストン弁１７を前記噴出管１８に対する押当力より弱い押当力で前記シリンダ１２に押し当て、前記噴出管１８を押し上げるとき前記ピストン弁１７も共に上動する一方、
前記ボール弁２１を閉じて後、その上動したピストン弁２１を突き当ててスライドし、前記連通孔２０ｃを塞ぐ突き当て部２８ｅを形成してなる、ことを特徴とする。
【０００６】
請求項２に記載の発明は、以下の図示実施の形態に示すとおり、
シリンダ１２内に噴出管１８を入れてその噴出管１８を押し込んでシリンダ室３０内の圧を高め、前記シリンダ１２と前記噴出管１８との間に設けるピストン弁１７を前記シリンダ１２に摺接しスライドして前記噴出管１８の連通孔２０ｃを開き、その連通孔２０ｃを通して該噴出管１８内を前記シリンダ室３０内と連通し、そのシリンダ室３０内の内容物を前記噴出管１８内を通してノズル３１ｂから吐出する一方、
前記噴出管１８の押し込みを解除したとき、付勢力に基づき前記噴出管１８を押し上げ、前記ピストン弁１７をスライドして前記噴出管１８の連通孔２０ｃを塞ぎ、前記シリンダ室３０内を負圧化して器容器１０内の内容物を吸い上げる噴出器において、
前記噴出管１８内にボール弁２１を設け、前記噴出管１８を押し込んで該噴出管１８内を前記シリンダ室３０内と連通したとき開き、押し込みを解除して前記噴出管１８を押し上げたとき閉じるとともに、
前記噴出管１８を押し込んだとき係合し、該噴出管１８を押し上げたとき前記ピストン弁１７も共に上動する掛止部ａをピストン弁１７と噴出管１８間に設ける一方、
前記ボール弁２１を閉じて後、その上動したピストン弁１７を突き当てて前記掛止部ａでの係合を解除し、スライドして前記連通孔２０ｃを塞ぐ突き当て部２８ｅを形成してなる、ことを特徴とする。
【０００７】
そして、請求項１および請求項２に記載の発明によれば、噴出管１８を押し込んで噴出管１８内をシリンダ室３０内と連通したときボール弁２１を開き、シリンダ室３０内の内容物を噴出管１８内を通してノズル３１ｂから吐出する。
一方、噴出管１８の押し込みを解除して噴出管１８を付勢力で押し上げたとき、ピストン弁１７も共に上動し、噴出管１８内の内容物を連通孔２０ｃを通してシリンダ室３０内に吸い込み、同時に、ノズル３１ｂ付近の内容物をノズル３１ｂ奥へ引き込むとともに、シリンダ室３０内に器容器１０内の内容物を吸い上げる。しかして、ボール弁２１を閉じて後、上動したピストン弁１７を突き当て部２８ｅに突き当て、該ピストン弁１７をスライドして噴出管１８の連通孔２０ｃを塞ぐ。
【０００８】
【発明の実施の形態】
以下、図面を参照しつつ、この発明の実施の形態につき説明する。
図１は、請求項１に記載の発明による噴出器で、その不使用時における要部の縦断面図である。
【０００９】
図中符号１０は、器容器である。器容器１０は、プラスチック材料でボトル形状につくり、口部１０ａ外周におねじを設け、図示しないが内部にたとえば内容物であるシャンプー液を収納してなる。
【００１０】
その器容器１０の口部１０ａには、ポンプＰを取り付けてなる。ポンプＰには、ねじキャップ１１を備える。
【００１１】
ねじキャップ１１は、頂部１１ａを有するやや短い円筒形状で下向きに開口し、内周にめねじを設け、頂部１１ａ中央に中心孔１１ｂを設ける。そして、頂部１１ａ内面をシリンダ１２のフランジ１２ａに乗せ、器容器１０の口部１０ａのおねじにめねじを係合して取り付けてなる。
【００１２】
前記シリンダ１２は、途中に３つの段部１２ｂ・１２ｃ・１２ｄを設けて図中下方に向け順次小径としてなる。
【００１３】
そのシリンダ１２の上部は、第１の段部１２ｂ位置に径方向に貫通して横孔１２ｅを設け、ねじキャップ１１の中心孔１１ｂを通して上端部を外向きに突出してなる。
【００１４】
前記シリンダ１２の下部には、第３の段部１２ｄの内側に下方に向けて漸次小径となる弁座１２ｆを形成し、その下方に吸い込み通路１２ｇを続けて設ける一方、第３の段部１２ｄ位置から上向き筒部１２ｈを立ち上げ、該上向き筒部１２ｈの外面とシリンダ１２の内面との間に上向き開口の環状凹部１２ｊを形成する。また、上向き筒部１２ｈには、内面から内向きに突出して弾性規制片１２ｍを周方向に複数、上下方向に長く形成する。各弾性規制片１２ｍは、上端部を上方に向けて漸次内向きに傾斜してなる。
【００１５】
そして、シリンダ１２の下端部に吸上管１３の上端部を取り付け、その管内と吸い込み通路１２ｇ内とを連通してなる。
【００１６】
それから、シリンダ１２内に第１ボール弁１５を入れ、該第１ボール弁１５を各弾性規制片１２ｍの上端に載せてから弾性に抗して押し込み、各弾性規制片１２ｍを弾性変形して挿入して第１ボール弁１５を弁座１２ｆに載せてなる。また、シリンダ１２内にコイルバネ１６を入れてその下端を環状凹部１２ｊ内に入れ、さらに、シリンダ１２内にピストン弁１７を取り付けた噴出管１８を入れてコイルバネ１６に載せてなる。
【００１７】
しかして、前記噴出管１８の下部管２０は、内部中心に上端から下方途中まで管路２０ａを形成し、その管路２０ａの途中に弁座２０ｂを設け、管路２０ａの下方と連通して径方向に貫通する連通孔２０ｃを設けるとともに、下端部に拡径筒部２０ｄを設ける。そして、管路２０ａ内に第２ボール弁２１を入れて弁座２０ｂに載せ、ピストン弁１７を取り付けて後、上端部を噴出管１８の上部管２２の管路２２ａ内に圧入して下部管２０と上部管２２を連結し、管路２２ａ内と前記管路２０ａ内とを連通してなる。
【００１８】
その噴出管１８の上部管２２は、上下に貫通する管路２２ａの下端部に拡径孔部２２ｂを設けるとともに、管路２２ａの上部内面から内向きに突出して凸部２２ｃを周方向に複数、上下方向に設ける。
【００１９】
前記ピストン弁１７は、たとえばゴム材でつくり、外筒部２５と内筒部２６とを同心で一体に形成する。そして、内筒部２６の上端部を拡径孔部２２ｂ内に入れ、その拡径孔部２２ｂの内面に内筒部２６の上端を押し当てて噴出管１８に対して上下に摺動自在に設けるとともに、その内筒部２６の押当力より弱い押当力で外筒部２５の外面をシリンダ１２の内面に押し当ててシリンダ１２に対して上下摺動自在に設ける。
【００２０】
しかして、前記シリンダ１２の上端には、嵌合キャップ２８を設ける。その嵌合キャップ２８は、キャップ状の外形部２８ａの内部に中径筒部２８ｂと小径筒部２８ｃを同心で一体に形成し、それら中径筒部２８ｂと小径筒部２８ｃとの間に下向き開口の環状凹部２８ｄを設けるとともに、小径筒部２８ｃの上部内周にめねじを設け、下部に突き当て部２８ｅを設ける。
【００２１】
そして、前記小径筒部２８ｃ内に前記噴出管１８の上部管２２を通し、シリンダ１２内の上端部に該小径筒部２８ｃを入れるとともに、環状凹部２８ｄ内に前記シリンダ１２の上端部を圧入し、該シリンダ１２のフランジ１２ａ上でねじキャップ１１を中径筒部２８ｄで挟持する。このとき、突き当て部２８ｅを前記ピストン弁１７の外筒部２５の上端に突き当て、噴出管１８を介してコイルバネ１６を少し圧縮して設け、そのコイルバネ１６の付勢力で前記拡径筒部２０ｄの上端をピストン弁１７の内筒部２６の下端に押し当てて噴出管１８の連通孔２０ｃを塞いでなる。
【００２２】
一方、前記嵌合キャップ２８から外部に突出する前記噴出管１８の上端には、押下釦３１を取り付けてなる。その押下釦３１は、キャップ状の外形部３１ａの外周にノズル３１ｂを嘴状に設けるとともに、内部中央におねじ筒部３１ｃを設け、そのおねじ筒部３１ｃとノズル３１ｂ間を横長筒部３１ｄでつなぎ、おねじ筒部３１ｃの端部からノズル３１ｂ先端へ至る噴出通路３１ｅを内部に形成する。そして、おねじ筒部３１ｃ内に前記噴出管１８の上端部を圧入し、噴出通路３１ｅ内と前記管路２２ａ内とを連通してなる。
【００２３】
しかして、噴出器の使用時、押下釦３１をコイルバネ１６に抗して図１中矢印Ａ方向に押し下げ、噴出管１８をシリンダ室３０内に押し込むと、シリンダ室３０内の圧が高まり、ピストン弁１７を噴出管１８に対し上方へスライドして連通孔２０ｃを開き、その連通孔２０ｃを通して管路２０ａ内をシリンダ室３０内と連通する。そして、シリンダ室３０内のシャンプー液を連通孔２０ｃを通して管路２０ａ内に送り出し、その液圧で第２ボール弁２１を押し上げて管路２２ａ内に送り出し、噴出通路３１ｅを通してノズル３１ｂ先端から外部へと吐出する。
【００２４】
その後、図２に示す押し下げ最終段階で、押下釦３１から手を離して噴出管１８の押し込みを解除すると、コイルバネ１６の付勢力で噴出管１８を図中矢印Ｂ方向へ押し上げる。そのとき、ピストン弁１７をシリンダ１２内面よりも噴出管１８に強く押し当てているので、ピストン弁１７と噴出管１８の間の摩擦力で該ピストン弁１７を噴出管１８と共に上動してシリンダ室３０内を負圧化する。そして、図３に示すように、上下の管路２０ａ・２２ａ内のシャンプー液の一部を連通孔２０ｃを通してシリンダ室３０内に吸い込み、同時に、ノズル３１ｂ付近のシャンプー液を奥側へと引き込むとともに、第１ボール弁１５を開いて器容器１０内のシャンプー液を吸い上げ通路１２ｇからシリンダ室３０内に吸い上げる。やがて、図４に示すように、再び第２ボール弁２１を閉じて後、さらに噴出管１８が上動すると、器容器１０内のシャンプー液をシリンダ室３０内に吸い上げる。その後、上動したピストン弁１７の外筒部２５の上端を突き当て部２８ｅに突き当て、ピストン弁１７と噴出管１８間の摩擦力に抗してさらに該噴出管１８だけを少し押し上げ、ピストン弁１７をスライドする。そして、ピストン弁１７の内筒部２６の下端に拡径筒部２０ｄの上端を押し当てて連通孔２０ｃを塞ぎ、最終段階で図１の状態に復帰する。
【００２５】
なお、上述した図示噴出器では、運搬時の小型化を図るべく、運搬時は前記コイルバネ１６に抗して押下釦３１を図１中矢印Ａ方向に最後まで押し下げて噴出管１８を図２に示すようにシリンダ室３０内に押し込み後、押下釦３１を回転しておねじ筒部３１ｃを前記小径筒部２８ｃ内のめねじにねじ付け、図５に示すように噴出管１８の動きをロックしてなる。
【００２６】
ところで、請求項２に記載の発明による噴出器では、噴出管１８を押し込んだとき係合し、該噴出管１８を押し上げたときピストン１７も共に上動する掛止部ａを設ける。すなわち、図６に示すように、ピストン弁１７の内筒部２６の内面から内向きに突出して凸部２６ａを形成し、噴出管１８の下部管２０の中間部外周に段部２０ｅを形成し、それら凸部２６ａと段部２０ｅとで掛止部ａを形成してなる。
【００２７】
しかして、噴出器の使用時、押下釦３１を押し下げて噴出管１８をシリンダ室３０内に押し込むと、シリンダ室３０内の圧が高まり、図７に示すように、ピストン弁１７を噴出管１８に対し上方へスライドして連通孔２０ｃを開くとともに凸部２６ａと段部２０ｅとを係合し、上述した図１乃至図５に示す噴出器と同様に、シリンダ室３０内の内容物をノズル３１ｂ先端から外部へと吐出する。
【００２８】
一方、噴出管１８の押し込みを解除しコイルバネ１６の付勢力で該噴出管１８を押し上げるとき、掛止部ａでの係合によりピストン弁１７も噴出管１８と共に上動する。そして、上述した図１乃至図５に示す噴出器と同様に、第２ボール弁２１が再び弁座２０ｂに載るまでの間、上下の管路２０ａ・２２ａ内のシャンプー液の一部を連通孔２０ｃを通してシリンダ室３０内に吸い込み、同時に、ノズル３１ｂ付近のシャンプー液を奥側へと引き込むとともに、器容器１０内のシャンプー液をシリンダ室３０内に吸い上げる。それから、上動したピストン弁１７の外筒部２５の上端を突き当て部２８ｅに突き当て、噴出管１８だけをさらに少し押し上げて掛止部ａでの係合を解除し、ピストン弁１７をスライドして連通孔２０ｃを塞ぎ、最終段階で図６の状態に復帰する。
【００２９】
なお、図６および図７に示す実施の形態では、掛止部ａは、ピストン弁１７側の凸部２６ａと噴出管１８側の段部２０ｅとで形成した。しかし、これに限るものでなく、掛止部は、図示しないがピストン弁１７側の段部と噴出管１８側の凸部とで形成する構成としてもよいし、ピストン弁１７側の凸部と噴出管１８側の凸部とで形成する構成としてもよい。
【００３０】
【発明の効果】
以上のことから、請求項１および請求項２に記載の発明によれば、噴出管の押し込みを解除し付勢力で噴出管を押し上げるときピストン弁も共に上動する一方、ボール弁を閉じて後、その上動したピストン弁を突き当て部に突き当ててスライドして噴出管の連通孔を塞ぐので、ボール弁を閉じるまで、噴出管内に残った内容物の一部をシリンダ室内に吸い込み、同時にノズル付近の内容物をそのノズル奥へと引き込み、使用後にノズル先端から内容物が垂れ落ちることを防止することができ、従来のように垂れた内容物で容器やそのまわりを汚すことを防止することができる。
【図面の簡単な説明】
【図１】請求項１に記載の発明によるシャンプー用の噴出器で、その不使用時における要部の縦断面図である。
【図２】その使用時、押下釦の押し下げ最終段階における噴出器の要部の縦断面図である。
【図３】その押し下げた押下釦から手を離して後、噴出管の押し上げ途中で、シリンダ室内に噴出管内の内容物および器容器内の内容物を吸い込む状態を示す噴出器の要部の縦断面図である。
【図４】その噴出管の押し上げ途中で、第２ボール弁を再び弁座に載せた状態における噴出器の要部の縦断面図である。
【図５】前記噴出器の運搬時、噴出管を押し込みロックした状態における要部の縦断面図である。
【図６】請求項２に記載の発明によるシャンプー用の噴出器で、その不使用時における要部の縦断面図である。
【図７】その使用時、押下釦の押し下げ最終段階における噴出器の要部の縦断面図である。
【図８】従来の噴出器で、不使用時における要部の縦断面図である。
【符号の説明】
１０    器容器
１７    ピストン弁
１８    噴出管
２０ｃ  連通孔
２１    ボール弁
２８ｅ  突き当て部
３０    シリンダ室
３１ｂ  ノズル
ａ      掛止部
【図１】
0003720894.tif 000002
【図２】
0003720894.tif 000003
【図３】
0003720894.tif 000004
【図４】
0003720894.tif 000005
【図５】
0003720894.tif 000006
【図６】
0003720894.tif 000007
【図７】
0003720894.tif 000008
【図８】
0003720894.tif 000009